【事件の表示】
　平成　３年特許願第３５２３１１号「含水率計内蔵型自動選別計量機」拒絶査定に対する審判事件〔平成５年６月２９日出願公開、特開平５−１６４７１５、請求項の数（１）〕について、次のとおり審決する。
【結　論】
　原査定を取り消す。
　本願の発明は、特許すべきものとする。
【理　由】
１．本願発明
　本願は、平成３年１２月１３日の出願であって、その請求項１に係る発明は、平成１３年４月２日付手続補正書で補正された明細書及び図面の記載からみて、その特許請求の範囲に記載された次のとおりのものである。（以下、「本願発明」という。）
「【請求項１】殻体内に回転自在に配設された円筒状の選別網体および該選別網体内に同心状かつ回転自在に配設された揚穀螺旋筒と、前記選別網体および揚穀螺旋筒を相対回転させるための駆動手段と、選別された良穀を貯留するための前記殻体に配設された貯留タンクと、前記貯留タンクから放出された良穀の重量を計量するための計量台とを備えた自動選別計量機において、
　前記貯留タンクの下部に筒状に形成された良穀落下口の内壁に良穀の含水率を検出するための含水率センサを備えるとともに、前記含水率センサにより検出された含水率および前記計量台により計量された重量を表示するための数値表示器を有する数値表示制御装置を備えたことを特徴とする含水率計内蔵型自動選別計量機。」
　
２．原査定の拒絶の理由の概要
　原査定の拒絶の理由は、概要以下のようである。
「本願発明は、その出願前日本国内において頒布された下記の刊行物に記載された発明に基づいて、その出願前に当業者が容易に発明をすることができたものであるから、特許法第２９条第２項の規定により特許を受けることができない。
　刊行物１　：　特開昭５８−１２２０７９号公報
　刊行物２　：　実願昭６３−６７５２７号（実開平１−１７１３２８号）のマイクロフィルム
　刊行物３　：　特開昭５７−１３５３４９号公報 」
　
３．対比、検討
（１）本願発明と刊行物１記載の発明とを対比する。
　刊行物１には、本願発明と共通する「殻体内に回転自在に配設された円筒状の選別網体および該選別網体内に同心状かつ回転自在に配設された揚穀螺旋筒と、前記選別網体および揚穀螺旋筒を相対回転させるための駆動手段と、選別された良穀を貯留するための前記殻体に配設された貯留タンクと、前記貯留タンクから放出された良穀の重量を計量するための計量台とを備えた自動選別計量機」が記載されているが、本願発明と刊行物１記載の発明とは、次の点で相違する。
 （相違点１）
　本願発明は、「前記貯留タンクの下部に筒状に形成された良穀落下口の内壁に良穀の含水率を検出するための含水率センサを備える含水率計内蔵型自動選別計量機」であるのに対して、刊行物１では、含水率を測定することについて記載されてなく、「含水率センサ」をどの部位に備えるかについて記載されていない点。
 （相違点２）
　本願発明では、「前記含水率センサにより検出された含水率および前記計量台により計量された重量を表示するための数値表示器を有する数値表示制御装置を備える」のに対して、刊行物１では、そのような数値表示制御装置について記載されていない点。
　
（２）一方、刊行物２には、「荷受け穀物の一部を計量ホッパに投入し、その投入量が定量になるたびに穀物を計量ホッパから排出してさらに他の一部を投入するようにして荷受け穀物全部の重量を求めるようにした穀物計量機において、
　前記計量ホッパに投入または排出される穀物の一部を、自主検定用サンプルとして採取するサンプル採取機構と、
　その採取した穀物を内部サンプルとして搬送する内部サンプル搬送路と、
　外部からの穀物を外部サンプルとして搬入する外部サンプル搬入路とを備えるとともに、
　前記内部サンプル搬送路と前記外部サンプル搬入路との各排出端を合流させて、その合流部をひとつの排出路に連結するとともに、その排出路に前記サンプルの水分を測定する水分計を設けてなる水分計付き穀物計量機。」（実用新案登録請求の範囲）と、「水分計付き穀物計量機」が記載されているが、その「水分計」は、「自主検定用サンプルとして採取するサンプル採取機構と、その採取した穀物を内部サンプルとして搬送する内部サンプル搬送路と、外部からの穀物を外部サンプルとして搬入する外部サンプル搬入路とを備えるとともに、前記内部サンプル搬送路と前記外部サンプル搬入路との各排出端を合流させて、その合流部をひとつの排出路に連結するとともに、その排出路に前記サンプルの水分を測定する水分計を設けてなる」ものであって、刊行物２記載の穀物計量機の穀物重量を計量する計量ホッパに先だって穀物を張り込む、すなわち貯留する「張込みホッパ」（６頁３行〜６行）はもとより、穀物重量を計量する計量ホッパとも別個のものであるから、刊行物１記載の自動選別計量機の選別された良穀を貯留するための前記殻体に配設された貯留タンクの下部に筒状に形成された良穀落下口の内壁に良穀の含水率を検出するための含水率センサを備えることを、示唆、教示するものではない。
　また、刊行物２には、「従来、水分計付き穀物計量機としては、荷受け穀物を投入してその重量を測定する計量ホッパ内に、荷受け穀物の初期水分を測定する水分計の測定電極を配置したものが知られている。
　このような水分計付き穀物計量機では、荷受け穀物の全重量は、計量ホッパへの投入穀物量が・・・求め、また荷受け穀物の初期水分は、計量ホッパが定量になるたびに水分計を作動させ、その測定値を平均することにより求めている。」という記載もある（２頁１１行〜３頁１行）が、水分計の具体的な配置場所についての開示もなく、この記載も、刊行物１記載の自動選別計量機の貯留タンクの下部に筒状に形成された良穀落下口の内壁に穀物の含水率を検出するための含水率センサを備えることを示唆、教示するものではない点は、同様である。
　
（３）また、刊行物３には、（３ａ）「内壁部にセンサーを設け、かつ底部に排出弁を設けた計測用容器を秤量装置に連結すると共に、前記容器の上部に給穀装置を設け、前記秤量装置と給穀装置および前記センサーの各電気回路を品種用切替設定器と補正用切替設定器のある制御回路を介して関連的に連結したことを特徴とする穀類水分測定装置。」が記載され（請求項１）、
（３ｂ）その発明の目的が、「複数品種の穀粒水分の測定において、それぞれ特定の給穀重量の穀粒を水分測定器の計測用容器に自動的に供給すると共に、測定した穀粒水分値を密度補正してその穀粒水分率を表示するようにし、もって、複数品種の穀粒水分の切替測定作業を簡潔化すると共に、任意穀粒の穀粒水分率を確実に、かつ簡単に計量表示してその測定性能を大幅に向上し、常に高精度の穀粒水分を計測する測定装置を開発して提供せんとするものである」ことが記載されている（２頁左上欄４行〜１３行）。
　（３ｃ）そして、刊行物３に記載された穀類水分測定装置における水分率を測定するためのセンサーが設けられている計測用容器は、「上述の構成であるから、複数品種の穀粒中、任意の試料穀粒（例えば籾）の水分を測定する場合は、・・・、試料籾を給穀口（２）に投入して該装置を起動すると、籾は穀粒搬送樋（６）の振動作用によってその樋端から計測用容器（８）に流下し、籾が容器（８）から溢れる状態になると振動装置（５）が停止し、上部に安息角を形成した籾層の穀粒重量（容積重）を計測してその測定値をデジタル表示器（２８）に表示する。次ぎに前記切替スイッチ（２６）を処理回路（２３）側に切り替えると共に、・・・、振動装置（５）の接点（Ｒ）が閉成して穀粒落下樋（６）を振動する。この流下樋（６）の振動作用によって試料籾はその樋端から計測用容器（８）内に流下し、所定重量に達すると、前記籾用抵抗器（Ｑ５）の停止信号によって電磁コイル（Ｒ）が消磁すると同時に振動装置（５）の接点（Ｒ）が開成して、穀粒搬送樋（６）の振動が止って籾の給穀作用は停止する。この給穀作用によって計測用容器（８）の試料籾は、その層高が前記センサー（１８）の容量測定部（Ｄ）の範囲で停止するので、前記センサー（１８）はその水分測定部（Ｃ）によって穀粒水分を測定すると共に、容量測定部（Ｄ）によってその容積変化に応じた密度補正をなし、高精度の穀粒水分率を演算してその出力はＡ−Ｄ変換器（２７）を介してデジタル表示器に表示される。またその他の品種穀粒の水分測定は前記同様の計測工程を経由してその水分率がそれぞれ表示されることになる。」と記載されている（３頁右上欄４行〜１３行）ように、その重量、容量および水分率の測定のために給穀口（２）に投入された試料穀粒、例えば籾を所定量採取する、独立した測定装置の試料採取測定容器にとどまるものである。
（３ｄ）そして、第１図および第２図の記載をみても、該計測用容器のセンサ設置個所が他に比べて小径化されているものでもないし、該計測用容器の底部の開閉弁（１９）の開放により排出される測定後の穀粒の取扱いについても、その下方に機枠（１）の排穀口（３）が存在するだけである。
　
（４）しかも、刊行物１に記載された自動選別計量機では、その中に貯留タンクから放出された良穀を収納して重量を測定する容器が存在して計量台で計量が当然なされるものであって、そのような計量用容器と自動選別計量機の貯留タンクとは異なる容器である。
　そうすると、測定器やセンサを有する各種装置において測定結果を数値表示することが刊行物３を挙げるまでもなく、普通に行われていることであるから、上記相違点２の数値表示制御装置を設ける点は、当業者が容易に設計し得る範囲内の事項にすぎないが、相違点１については、穀物計量機に別途併設されたサンプル採取機構中に水分計を設けること等が記載されている刊行物２の記載や、正確に水分率を測定するため併せて重量や容積の測定を行って補正する水分測定装置について記載された刊行物３の記載を刊行物１の記載と組み合わせても、刊行物１に記載された自動選別計量機の貯留タンクの、特に下部に筒状に形成された良穀落下口の内壁に良穀の含水率を検出するための含水率センサを備えて、自動選別計量機を含水率計内蔵型自動選別計量機とすることが、当業者に容易に想到できたものということはできない。
　なお、拒絶査定において、水分センサを貯留タンクの内壁面に設ける公知例として挙げられた特開昭５４−７５６６８号公報を勘案しても、穀物乾燥機の貯留タンクの内壁面に、夾雑物を貯留タンク中心部に吹き飛ばすためのエアー吹出口（４）とわざわざ隔壁（７）によって形成されている小径の精粒通路を設けて該通路に水分センサを設けることを開示しているにとどまるもので、貯留タンク自体の下部に筒状に形成された良穀落下口の内壁を、水分センサの設置位置として示唆するものではないから、この点は変わるところではない。
　そして、本願明細書によれば、本願発明は相違点１の構成により、「選別された良穀を貯留するための貯留タンクの下部に筒状に形成された良穀落下口の内壁に良穀の含水率を検出するための含水率センサを備えることにより、貯留タンクの良穀落下口から良穀を放出して行う各回の重量の計量後ごとに、筒状に形成された良穀落下口内に良穀が均等密度に充満しかつ静止する状態を現出させて、重量の計量ごと計量される良穀の含水率を安定的にかつ高い精度をもって計測して表示できる。」という効果を奏するものである（段落【００２８】）。
　
４．　むすび
　したがって、本願発明は、刊行物１〜刊行物３に記載された発明に基づいて当業者が容易に発明をすることができたものということはできない。
　他に、本願を拒絶すべき理由を発見しない。
　よって、結論のとおり審決する。